【手続補正書】
【提出日】平成26年8月4日(2014.8.4)
【手続補正１】
【補正対象書類名】特許請求の範囲
【補正対象項目名】全文
【補正方法】変更
【補正の内容】
【特許請求の範囲】
【請求項１】
基地局において、
ダウンリンク（Ｄｏｗｎｌｉｎｋ，ＤＬ）承認（ｇｒａｎｔ）、データストリーム及び物理的アップリンク制御チャネル（ＰＵＣＣＨ）のためのアップリンク送信アンテナポートの数を構成するための制御信号を加入者端末に送信するように構成された送信経路回路と、
前記データストリームに応答して前記加入者端末から承認／否認（ＡＣＫｎｏｗｌｅｄｇｅｍｅｎｔ／Ｎｅｇａｔｉｖｅ  ＡＣＫｎｏｗｌｅｄｅｇｅｍｅｎｔ，ＡＣＫ／ＮＡＣＫ）を受信するように構成された受信経路回路と、を含み、
前記加入者端末は前記基地局からＤＬ構成要素キャリア（ＣＣｓ）での物理ダウンリンク共有チャネル（ＰＤＳＣＨｓ）の数を受信するように構成され、
前記加入者端末は前記ＤＬ構成要素キャリアでのＰＤＳＣＨの数に依存して空間直交資源送信ダイバーシティ（ＳＯＲＴＤ）方式及び規格無関送信ダイバーシティ（ｓｐｅｃｉｆｉｃａｔｉｏｎ−ｔｒａｎｓｐａｒｅｎｔ  ｔｒａｎｓｍｉｔ  ｄｉｖｅｒｓｉｔｙ）方式の中から変調シンボルのマッピング方法を決定するように構成され、
前記ＤＬ構成要素キャリアでのＰＤＳＣＨの数が一つ以上の場合、前記加入者端末は前記規格無関送信ダイバーシティ方式を利用してＡＣＫ／ＮＡＣＫを伝送するように構成され、
前記ＤＬ構成要素キャリアでのＰＤＳＣＨの数が一つの場合、前記加入者端末は前記ＳＯＲＴＤ方式を利用してＡＣＫ／ＮＡＣＫを伝送するように構成される基地局。
【請求項２】
基地局を動作させるための方法において、
ダウンリンク（Ｄｏｗｎｌｉｎｋ，ＤＬ）承認（ｇｒａｎｔ）、データストリーム及び物理的アップリンク制御チャネル（ＰＵＣＣＨ）のためのアップリンク送信アンテナポートの数を構成するための制御信号を加入者端末に送信する過程と、
前記データストリームに応答して前記加入者端末から承認／否認（ＡＣＫｎｏｗｌｅｄｇｅｍｅｎｔ／Ｎｅｇａｔｉｖｅ  ＡＣＫｎｏｗｌｅｄｅｇｅｍｅｎｔ，ＡＣＫ／ＮＡＣＫ）を受信する過程と、を含み、
前記加入者端末は前記基地局からＤＬ構成要素キャリア（ＣＣｓ）での物理ダウンリンク共有チャネル（ＰＤＳＣＨｓ）の数を受信するように構成され、
前記加入者端末は前記ＤＬ構成要素キャリアでのＰＤＳＣＨの数に依存して空間直交資源送信ダイバーシティ（ＳＯＲＴＤ）方式及び規格無関送信ダイバーシティ（ｓｐｅｃｉｆｉｃａｔｉｏｎ−ｔｒａｎｓｐａｒｅｎｔ  ｔｒａｎｓｍｉｔ  ｄｉｖｅｒｓｉｔｙ）方式の中から選択された一つで変調シンボルのマッピング方法を決定するように構成され、
前記ＤＬ構成要素キャリアでのＰＤＳＣＨの数が一つ以上の場合、前記加入者端末は前記規格無関送信ダイバーシティ方式を利用してＡＣＫ／ＮＡＣＫを伝送するように構成され、
前記ＤＬ構成要素キャリアでのＰＤＳＣＨの数が一つの場合、前記加入者端末は前記ＳＯＲＴＤ方式を利用してＡＣＫ／ＮＡＣＫを伝送するように構成される方法。
【請求項３】
加入者端末において、
ダウンリンク（Ｄｏｗｎｌｉｎｋ，ＤＬ）承認（ｇｒａｎｔ）、データストリーム及び物理的アップリンク制御チャネル（ＰＵＣＣＨ）のためのアップリンク送信アンテナポートの数を構成するための制御信号を基地局から受信するように構成された受信経路回路と、
前記データストリームに応答して前記基地局に承認／否認（ＡＣＫｎｏｗｌｅｄｇｅｍｅｎｔ／Ｎｅｇａｔｉｖｅ  ＡＣＫｎｏｗｌｅｄｅｇｅｍｅｎｔ，ＡＣＫ／ＮＡＣＫ）を送信するように構成された送信経路回路と、を含み、
前記加入者端末は前記基地局からＤＬ構成要素キャリア（ＣＣｓ）での物理ダウンリンク共有チャネル（ＰＤＳＣＨｓ）の数を受信するように構成され、
前記加入者端末は前記ＤＬ構成要素キャリアでのＰＤＳＣＨの数に依存して空間直交資源送信ダイバーシティ（ＳＯＲＴＤ）方式及び規格無関送信ダイバーシティ（ｓｐｅｃｉｆｉｃａｔｉｏｎ−ｔｒａｎｓｐａｒｅｎｔ  ｔｒａｎｓｍｉｔ  ｄｉｖｅｒｓｉｔｙ）方式の中から選択された一つで変調シンボルのマッピング方法を決定するように構成され、
前記ＤＬ構成要素キャリアでのＰＤＳＣＨの数が一つ以上の場合、前記加入者端末は前記規格無関送信ダイバーシティ方式を利用してＡＣＫ／ＮＡＣＫを伝送するように構成され、
前記ＤＬ構成要素キャリアでのＰＤＳＣＨの数が一つの場合、前記加入者端末は前記ＳＯＲＴＤ方式を利用してＡＣＫ／ＮＡＣＫを伝送するように構成される加入者端末。
【請求項４】
加入者端末を動作させるための方法において、
ダウンリンク（Ｄｏｗｎｌｉｎｋ，ＤＬ）承認（ｇｒａｎｔ）、データストリーム及び物理的アップリンク制御チャネル（ＰＵＣＣＨ）のためのアップリンク送信アンテナポートの数を構成するための制御信号を基地局から受信する過程と、
前記データストリームに応答して前記基地局に承認／否認（ＡＣＫｎｏｗｌｅｄｇｅｍｅｎｔ／Ｎｅｇａｔｉｖｅ  ＡＣＫｎｏｗｌｅｄｅｇｅｍｅｎｔ，ＡＣＫ／ＮＡＣＫ）を送信する過程と、を含み、
前記加入者端末は前記基地局からＤＬ構成要素キャリア（ＣＣｓ）での物理ダウンリンク共有チャネル（ＰＤＳＣＨｓ）の数を受信するように構成され、
前記加入者端末は前記ＤＬ構成要素キャリアでのＰＤＳＣＨの数に依存して空間直交資源送信ダイバーシティ（ＳＯＲＴＤ）方式及び規格無関送信ダイバーシティ（ｓｐｅｃｉｆｉｃａｔｉｏｎ−ｔｒａｎｓｐａｒｅｎｔ  ｔｒａｎｓｍｉｔ  ｄｉｖｅｒｓｉｔｙ）方式の中から選択された一つで変調シンボルのマッピング方法を決定するように構成され、
前記ＤＬ構成要素キャリアでのＰＤＳＣＨの数が一つ以上の場合、前記加入者端末は前記規格無関送信ダイバーシティ方式を利用してＡＣＫ／ＮＡＣＫを伝送するように構成され、
前記ＤＬ構成要素キャリアでのＰＤＳＣＨの数が一つの場合、前記加入者端末は前記ＳＯＲＴＤ方式を利用してＡＣＫ／ＮＡＣＫを伝送するように構成される方法。
【請求項５】
前記ＤＬ構成要素キャリアでのＰＤＳＣＨの数が一つ以上で、前記加入者端末がＰＵＣＣＨフォーマット１ｂ及びチャネル選択方式で送信するように構成される場合、前記加入者端末は前記規格無関送信ダイバーシティ方式を利用してＡＣＫ／ＮＡＣＫを伝送するように構成される請求項１に記載の基地局。
【請求項６】
前記ＤＬ構成要素キャリアでのＰＤＳＣＨの数が一つ以上で、前記加入者端末がＰＵＣＣＨフォーマット１ｂ及びチャネル選択方式で送信するように構成される場合、前記加入者端末がＰＵＣＣＨフォーマット１ａ／１ｂをＳＯＲＴＤ方式で送信するように構成される場合であっても、前記加入者端末は前記規格無関送信ダイバーシティ方式を利用してＡＣＫ／ＮＡＣＫを伝送するように構成される請求項５に記載の基地局。
【請求項７】
前記加入者端末が前記基地局によって一つのアップリンク送信アンテナポート及びＰＵＣＣＨフォーマット１Ｂを有するチャネル選択を利用してＡＣＫ／ＮＡＣＫを送信するように構成される場合、変調シンボルは少なくとも部分的にチャネル選択マッピングテーブルに基づいて決定された一つの物理的アップリンク制御チャネル（ＰＵＣＣＨ）ｉ上で送信され、
前記加入者端末が前記基地局によって２つのアップリンク送信アンテナポート及びＰＵＣＣＨフォーマット１Ｂを有するチャネル選択を利用してＡＣＫ／ＮＡＣＫを送信するように構成される場合、前記ＡＣＫ／ＮＡＣＫ変調シンボルは、前記２つのＰＵＣＣＨ上で送信され、
前記２つのＰＵＣＣＨのうち第１チャネルは、少なくとも部分的に前記チャネル選択マッピングテーブルに基づいて決定されたＰＵＣＣＨｉであり、前記２つのＰＵＣＣＨのうち第２チャネルは、ｉ、Ｌ及びＭのうち少なくとも一つに依存する関数によって暗黙的に（ｉｍｐｌｉｃｉｔｌｙ）決定され、
Ｌは、前記加入者端末のＡＣＫ／ＮＡＣＫに対して割り当てられたアップリンク制御チャネルの数であり、Ｍは、サブフレームの伝送から伝達されたＡＣＫ／ＮＡＣＫビットの数である請求項６に記載の基地局。
【請求項８】
前記第２チャネルは(ｉ＋１) ｍｏｄ Ｌを利用して決定される請求項７に記載の基地局。
【請求項９】
Ｌは以下のテーブルを利用して決定される請求項７に記載の基地局。
【表１】
2013526120.tif 000001
【請求項１０】
前記第２チャネルは(ｉ＋Ｍ) ｍｏｄ Ｌを利用して決定される請求項７に記載の基地局。
【請求項１１】
Ｌは以下のテーブルを利用して決定される請求項７に記載の基地局。
【表２】
2013526120.tif 000002
【請求項１２】
前記加入者端末が前記基地局によって２つのアップリンク送信アンテナポート及びＰＵＣＣＨフォーマット１Ｂを有するチャネル選択を利用してＡＣＫ／ＮＡＣＫを送信するように構成される場合、２つのアップリンク送信アンテナポートの構成は中断され（ｏｖｅｒｒｉｄｅｎ）、前記変調シンボルは一つの送信アンテナポート上の単に一つのＰＵＣＣＨ上にマッピングされ、
前記加入者端末が前記基地局によって２つのアップリンク送信アンテナポート及びＰＵＣＣＨフォーマット１Ａ／１Ｂを利用してＡＣＫ／ＮＡＣＫを送信するように構成される場合、前記変調シンボルは前記２つのＰＵＣＣＨ上の２つのアップリンク送信アンテナポートにマッピングされる請求項６に記載の基地局。
【請求項１３】
前記加入者端末が前記基地局によって２つのアップリンク送信アンテナポート及びフォーマット１Ｂを有するチャネル選択を利用してＡＣＫ／ＮＡＣＫを送信するように構成される場合、前記変調シンボルは一つの物理的アップリンク制御チャネルにマッピングされ、前記一つのＰＵＣＣＨは一つのアップリンク送信アンテナポートに対応する多重物理的送信アンテナ上で送信される請求項１２に記載の基地局。
【請求項１４】
前記ＤＬ構成要素キャリアでのＰＤＳＣＨの数が一つ以上で、前記加入者端末がＰＵＣＣＨフォーマット１ｂ及びチャネル選択方式で送信するように構成される場合、前記加入者端末は前記規格無関送信ダイバーシティ方式を利用してＡＣＫ／ＮＡＣＫを伝送するように構成される請求項２に記載の方法。
【請求項１５】
前記ＤＬ構成要素キャリアでのＰＤＳＣＨの数が一つ以上で、前記加入者端末がＰＵＣＣＨフォーマット１ｂ及びチャネル選択方式で送信するように構成される場合、前記加入者端末がＰＵＣＣＨフォーマット１ａ／１ｂをＳＯＲＴＤ方式で送信するように構成される場合であっても、前記加入者端末は前記規格無関送信ダイバーシティ方式を利用してＡＣＫ／ＮＡＣＫを伝送するように構成される請求項14に記載の方法。
【請求項１６】
前記加入者端末が前記基地局によって一つのアップリンク送信アンテナポート及びＰＵＣＣＨフォーマット１Ｂを有するチャネル選択を利用してＡＣＫ／ＮＡＣＫを送信するように構成される場合、変調シンボルは少なくとも部分的にチャネル選択マッピングテーブルに基づいて決定された一つの物理的アップリンク制御チャネル（ＰＵＣＣＨ）ｉ上で送信され、
前記加入者端末が前記基地局によって２つのアップリンク送信アンテナポート及びＰＵＣＣＨフォーマット１Ｂを有するチャネル選択を利用してＡＣＫ／ＮＡＣＫを送信するように構成される場合、前記ＡＣＫ／ＮＡＣＫ変調シンボルは、前記２つのＰＵＣＣＨ上で送信され、
前記２つのＰＵＣＣＨのうち第１チャネルは、少なくとも部分的に前記チャネル選択マッピングテーブルに基づいて決定されたＰＵＣＣＨｉであり、前記２つのＰＵＣＣＨのうち第２チャネルは、ｉ、Ｌ及びＭのうち少なくとも一つに依存する関数によって暗黙的に（ｉｍｐｌｉｃｉｔｌｙ）決定され、
Ｌは、前記加入者端末のＡＣＫ／ＮＡＣＫに対して割り当てられたアップリンク制御チャネルの数であり、Ｍは、サブフレームの伝送から伝達されたＡＣＫ／ＮＡＣＫビットの数である請求項15に記載の方法。
【請求項１７】
前記第２チャネルは(ｉ＋１) ｍｏｄ Ｌを利用して決定される請求項16に記載の方法。
【請求項１８】
Ｌは以下のテーブルを利用して決定される請求項16に記載の方法。
【表３】
2013526120.tif 000003
【請求項１９】
前記第２チャネルは(ｉ＋Ｍ) ｍｏｄ Ｌを利用して決定される請求項16に記載の方法。
【請求項２０】
Ｌは以下のテーブルを利用して決定される請求項16に記載の方法。
【表４】
2013526120.tif 000004
【請求項２１】
前記加入者端末が前記基地局によって２つのアップリンク送信アンテナポート及びＰＵＣＣＨフォーマット１Ｂを有するチャネル選択を利用してＡＣＫ／ＮＡＣＫを送信するように構成される場合、２つのアップリンク送信アンテナポートの構成は中断され（ｏｖｅｒｒｉｄｅｎ）、前記変調シンボルは一つの送信アンテナポート上の単に一つのＰＵＣＣＨ上にマッピングされ、
前記加入者端末が前記基地局によって２つのアップリンク送信アンテナポート及びＰＵＣＣＨフォーマット１Ａ／１Ｂを利用してＡＣＫ／ＮＡＣＫを送信するように構成される場合、前記変調シンボルは前記２つのＰＵＣＣＨ上の２つのアップリンク送信アンテナポートにマッピングされる請求項15に記載の方法。
【請求項２２】
前記加入者端末が前記基地局によって２つのアップリンク送信アンテナポート及びフォーマット１Ｂを有するチャネル選択を利用してＡＣＫ／ＮＡＣＫを送信するように構成される場合、前記変調シンボルは一つの物理的アップリンク制御チャネルにマッピングされ、前記一つのＰＵＣＣＨは一つのアップリンク送信アンテナポートに対応する多重物理的送信アンテナ上で送信される請求項２1に記載の方法。
【請求項２３】
前記ＤＬ構成要素キャリアでのＰＤＳＣＨの数が一つ以上で、前記加入者端末がＰＵＣＣＨフォーマット１ｂ及びチャネル選択方式で送信するように構成される場合、前記加入者端末は前記規格無関送信ダイバーシティ方式を利用してＡＣＫ／ＮＡＣＫを伝送するように構成される請求項３に記載の加入者端末。
【請求項２４】
前記ＤＬ構成要素キャリアでのＰＤＳＣＨの数が一つ以上で、前記加入者端末がＰＵＣＣＨフォーマット１ｂ及びチャネル選択方式で送信するように構成される場合、前記加入者端末がＰＵＣＣＨフォーマット１ａ／１ｂをＳＯＲＴＤ方式で送信するように構成される場合であっても、前記加入者端末は前記規格無関送信ダイバーシティ方式を利用してＡＣＫ／ＮＡＣＫを伝送するように構成される請求項23に記載の加入者端末。
【請求項２５】
前記加入者端末が前記基地局によって一つのアップリンク送信アンテナポート及びＰＵＣＣＨフォーマット１Ｂを有するチャネル選択を利用してＡＣＫ／ＮＡＣＫを送信するように構成される場合、変調シンボルは少なくとも部分的にチャネル選択マッピングテーブルに基づいて決定された一つの物理的アップリンク制御チャネル（ＰＵＣＣＨ）ｉ上で送信され、
前記加入者端末が前記基地局によって２つのアップリンク送信アンテナポート及びＰＵＣＣＨフォーマット１Ｂを有するチャネル選択を利用してＡＣＫ／ＮＡＣＫを送信するように構成される場合、前記ＡＣＫ／ＮＡＣＫ変調シンボルは、前記２つのＰＵＣＣＨ上で送信され、
前記２つのＰＵＣＣＨのうち第１チャネルは、少なくとも部分的に前記チャネル選択マッピングテーブルに基づいて決定されたＰＵＣＣＨｉであり、前記２つのＰＵＣＣＨのうち第２チャネルは、ｉ、Ｌ及びＭのうち少なくとも一つに依存する関数によって暗黙的に（ｉｍｐｌｉｃｉｔｌｙ）決定され、
Ｌは、前記加入者端末のＡＣＫ／ＮＡＣＫに対して割り当てられたアップリンク制御チャネルの数であり、Ｍは、サブフレームの伝送から伝達されたＡＣＫ／ＮＡＣＫビットの数である請求項24に記載の加入者端末。
【請求項２６】
前記第２チャネルは(ｉ＋１) ｍｏｄ Ｌを利用して決定される請求項25に記載の加入者端末。
【請求項２７】
Ｌは以下のテーブルを利用して決定される請求項25に記載の加入者端末。
【表５】
2013526120.tif 000005
【請求項２８】
前記第２チャネルは(ｉ＋Ｍ) ｍｏｄ Ｌを利用して決定される請求項25に記載の加入者端末。
【請求項２９】
Ｌは以下のテーブルを利用して決定される請求項25に記載の加入者端末。
【表６】
2013526120.tif 000006
【請求項３０】
前記加入者端末が前記基地局によって２つのアップリンク送信アンテナポート及びＰＵＣＣＨフォーマット１Ｂを有するチャネル選択を利用してＡＣＫ／ＮＡＣＫを送信するように構成される場合、２つのアップリンク送信アンテナポートの構成は中断され（ｏｖｅｒｒｉｄｅｎ）、前記変調シンボルは一つの送信アンテナポート上の単に一つのＰＵＣＣＨ上にマッピングされ、
前記加入者端末が前記基地局によって２つのアップリンク送信アンテナポート及びＰＵＣＣＨフォーマット１Ａ／１Ｂを利用してＡＣＫ／ＮＡＣＫを送信するように構成される場合、前記変調シンボルは前記２つのＰＵＣＣＨ上の２つのアップリンク送信アンテナポートにマッピングされる請求項24に記載の加入者端末。
【請求項３１】
前記加入者端末が前記基地局によって２つのアップリンク送信アンテナポート及びフォーマット１Ｂを有するチャネル選択を利用してＡＣＫ／ＮＡＣＫを送信するように構成される場合、前記変調シンボルは一つの物理的アップリンク制御チャネルにマッピングされ、前記一つのＰＵＣＣＨは一つのアップリンク送信アンテナポートに対応する多重物理的送信アンテナ上で送信される請求項30に記載の加入者端末。
【請求項３２】
前記ＤＬ構成要素キャリアでのＰＤＳＣＨの数が一つ以上で、前記加入者端末がＰＵＣＣＨフォーマット１ｂ及びチャネル選択方式で送信するように構成される場合、前記加入者端末は前記規格無関送信ダイバーシティ方式を利用してＡＣＫ／ＮＡＣＫを伝送するように構成される請求項４に記載の方法。
【請求項３３】
前記ＤＬ構成要素キャリアでのＰＤＳＣＨの数が一つ以上で、前記加入者端末がＰＵＣＣＨフォーマット１ｂ及びチャネル選択方式で送信するように構成される場合、前記加入者端末がＰＵＣＣＨフォーマット１ａ／１ｂをＳＯＲＴＤ方式で送信するように構成される場合であっても、前記加入者端末は前記規格無関送信ダイバーシティ方式を利用してＡＣＫ／ＮＡＣＫを伝送するように構成される請求項32に記載の方法。
【請求項３４】
前記加入者端末が前記基地局によって一つのアップリンク送信アンテナポート及びＰＵＣＣＨフォーマット１Ｂを有するチャネル選択を利用してＡＣＫ／ＮＡＣＫを送信するように構成される場合、変調シンボルは少なくとも部分的にチャネル選択マッピングテーブルに基づいて決定された一つの物理的アップリンク制御チャネル（ＰＵＣＣＨ）ｉ上で送信され、
前記加入者端末が前記基地局によって２つのアップリンク送信アンテナポート及びＰＵＣＣＨフォーマット１Ｂを有するチャネル選択を利用してＡＣＫ／ＮＡＣＫを送信するように構成される場合、前記ＡＣＫ／ＮＡＣＫ変調シンボルは、前記２つのＰＵＣＣＨ上で送信され、
前記２つのＰＵＣＣＨのうち第１チャネルは、少なくとも部分的に前記チャネル選択マッピングテーブルに基づいて決定されたＰＵＣＣＨｉであり、前記２つのＰＵＣＣＨのうち第２チャネルは、ｉ、Ｌ及びＭのうち少なくとも一つに依存する関数によって暗黙的に（ｉｍｐｌｉｃｉｔｌｙ）決定され、
Ｌは、前記加入者端末のＡＣＫ／ＮＡＣＫに対して割り当てられたアップリンク制御チャネルの数であり、Ｍは、サブフレームの伝送から伝達されたＡＣＫ／ＮＡＣＫビットの数である請求項33に記載の方法。
【請求項３５】
前記第２チャネルは(ｉ＋１) ｍｏｄ Ｌを利用して決定される請求項34に記載の方法。
【請求項３６】
Ｌは以下のテーブルを利用して決定される請求項34に記載の方法。
【表７】
2013526120.tif 000007
【請求項３７】
前記第２チャネルは(ｉ＋Ｍ) ｍｏｄ Ｌを利用して決定される請求項34に記載の方法。
【請求項３８】
Ｌは以下のテーブルを利用して決定される請求項34に記載の方法。
【表８】
2013526120.tif 000008
【請求項３９】
前記加入者端末が前記基地局によって２つのアップリンク送信アンテナポート及びＰＵＣＣＨフォーマット１Ｂを有するチャネル選択を利用してＡＣＫ／ＮＡＣＫを送信するように構成される場合、２つのアップリンク送信アンテナポートの構成は中断され（ｏｖｅｒｒｉｄｅｎ）、前記変調シンボルは一つの送信アンテナポート上の単に一つのＰＵＣＣＨ上にマッピングされ、
前記加入者端末が前記基地局によって２つのアップリンク送信アンテナポート及びＰＵＣＣＨフォーマット１Ａ／１Ｂを利用してＡＣＫ／ＮＡＣＫを送信するように構成される場合、前記変調シンボルは前記２つのＰＵＣＣＨ上の２つのアップリンク送信アンテナポートにマッピングされる請求項33に記載の方法。
【請求項４０】
前記加入者端末が前記基地局によって２つのアップリンク送信アンテナポート及びフォーマット１Ｂを有するチャネル選択を利用してＡＣＫ／ＮＡＣＫを送信するように構成される場合、前記変調シンボルは一つの物理的アップリンク制御チャネルにマッピングされ、前記一つのＰＵＣＣＨは一つのアップリンク送信アンテナポートに対応する多重物理的送信アンテナ上で送信される請求項33に記載の方法。